(57)【要約】【課題】この発明は、データ領域の偏心を少なくして記録再生速度の高速化を効果的に促進し得る光ディスクを提供することと、上記した光ディスクに対して情報の記録または再生を行なう光ディスク装置を提供することとを目的としている。【解決手段】内周から外周に向けて内径孔（１２）、リードイン領域（１３）及びデータ領域（１４）が順次形成された光ディスク（１１）であって、内径孔（１２）の中心点（Ｏ１）とデータ領域（１４）の中心とがほぼ一致し、内径孔（１２）の中心点（Ｏ１）に対してリードイン領域（１３）の中心点（Ｏ２）が所定量ずれている光ディスク。【選択図】図１
2009266323.tif 000002
【特許請求の範囲】
【請求項１】
内周から外周に向けて内径孔、リードイン領域及びデータ領域が順次形成された光ディスクであって、
前記内径孔の中心と前記データ領域の中心とがほぼ一致し、前記内径孔の中心に対して前記リードイン領域の中心が所定量ずれていることを特徴とする光ディスク。
【請求項２】
内周から外周に向けて内径孔、成形時の跡である溝、リードイン領域及びデータ領域が順次形成された光ディスクであって、
前記内径孔の中心と前記データ領域の中心とがほぼ一致し、前記内径孔の中心に対して前記溝の中心が所定量ずれていることを特徴とする光ディスク。
【請求項３】
リードイン領域の外周にデータ領域が形成された光ディスクであって、
回転中心と前記データ領域の中心とがほぼ一致し、回転中心に対して前記リードイン領域の中心が所定量ずれていることを特徴とする光ディスク。
【請求項４】
前記所定量のずれは、約５μｍ以上であることを特徴とする請求項１乃至３いずれかに記載の光ディスク。
【請求項５】
前記所定量のずれは、約１０〜３０μｍであることを特徴とする請求項１乃至３いずれかに記載の光ディスク。
【請求項６】
内周から外周に向けて内径孔、リードイン領域及びデータ領域が順次形成され、前記内径孔の中心と前記データ領域の中心とがほぼ一致し、前記内径孔の中心に対して前記リードイン領域の中心が所定量ずれている光ディスクに対して、情報の記録または再生を行なう手段を具備することを特徴とする光ディスク装置。
【請求項７】
内周から外周に向けて内径孔、成形時の跡である溝、リードイン領域及びデータ領域が順次形成され、前記内径孔の中心と前記データ領域の中心とがほぼ一致し、前記内径孔の中心に対して前記溝の中心が所定量ずれている光ディスクに対して、情報の記録または再生を行なう手段を具備することを特徴とする光ディスク装置。
【請求項８】
リードイン領域の外周にデータ領域が形成され、回転中心と前記データ領域の中心とがほぼ一致し、回転中心に対して前記リードイン領域の中心が所定量ずれている光ディスクに対して、情報の記録または再生を行なう手段を具備することを特徴とする光ディスク装置。
【発明の詳細な説明】
【技術分野】
【０００１】
この発明は、例えばＤＶＤ（digital versatile disk）等に代表される光ディスクの改良に関する。また、この発明は、上記の光ディスクに対して情報の記録または再生を行なう光ディスク装置に関する。
【背景技術】
【０００２】
周知のように、首記の如き光ディスクは、年々高密度化が進んでいる。例えば青色レーザ光を使用して情報の記録再生が行なわれる次世代の光ディスクでは、レーザビームの波長が４０５ｎｍ、光ディスク上に形成されるレーザビームのスポット径が約５００ｎｍ、トラックピッチが４００ｎｍ、再生時の線速度が６．６１ｍ／ｓとなっている。
【０００３】
そして、このような次世代の光ディスクに対して情報の記録再生を行なう光ディスク装置にあっては、記録再生速度を高速化することについての開発が行なわれている。すなわち、今後は、例えば標準速度の２倍、４倍、８倍等の速度での情報の記録再生を実現することができるように、高速化のための開発が進められる予定である。
【０００４】
ところで、光ディスクに対する記録再生速度を高速化する際に、問題となるのはトラッキングサーボの追従特性である。狭いピッチで配列されたトラック（情報パターンや溝）に、ビームスポットを高速かつ正確に追従させるためには、サーボ特性も重要であるが、それ以上に、光ヘッドから見たトラックのうねりが少ないことが重要である。
【０００５】
光ディスク回転時に生じるトラックのうねりは、主に光ディスクの偏心によるものが支配的である。すなわち、光ディスクのデータ領域部分の中心軸が、光ディスクの回転軸と距離ｄμｍだけずれている場合、ビームスポットを固定したときに観察される光ディスクのデータ領域は、光ディスクの１回転でｄ×２だけぶれることになる。
【０００６】
このため、トラックピッチを０．４μｍとした場合、光ディスクの１回転で（ｄ×２）／０．４本分のトラッキングエラー信号が検出されることになる。トラッキングサーボとは、トラッキングエラー信号が０になるようにビームスポットをトラックに追従させることであるので、光ディスクの回転速度が高速化するほどビームスポットのトラックへの追従が間に合わなくなり、トラッキングサーボがかかりにくくなる。
【０００７】
逆に言えば、このトラッキングエラー信号の本数が少ない方が、つまり、光ディスクの偏心（データ領域の中心と回転中心とのずれｄ）が小さい方が、光ディスクの回転時におけるデータ領域のぶれ（ｄ×２）が少なくなり、光ディスクの高速回転時におけるトラッキングサーボにおいて、ビームスポットをトラックに正確に追従させるという点では有利となることがわかる。
【０００８】
特許文献１には、情報ピットあるいは案内溝が刻まれたスタンパに、その偏心させた方向が分かるように目印を付設しておき、予め測定されている成形金型側の偏心を打ち消すように、目印を基準としてスタンパを固定して基板の成形を行なうことにより、基板の偏心量を改善することが開示されている。
【特許文献１】特開２００５−３１０３５０号公報
【発明の開示】
【発明が解決しようとする課題】
【０００９】
そこで、この発明は上記事情を考慮してなされたもので、データ領域の偏心を少なくして記録再生速度の高速化を効果的に促進し得る光ディスクを提供することを目的とする。また、この発明は、上記した光ディスクに対して情報の記録または再生を行なう光ディスク装置を提供することを目的とする。
【課題を解決するための手段】
【００１０】
この発明に係る光ディスクは、内周から外周に向けて内径孔、リードイン領域及びデータ領域が順次形成されたものを対象としている。そして、内径孔の中心とデータ領域の中心とがほぼ一致し、内径孔の中心に対してリードイン領域の中心が所定量ずれているようにしたものである。
【００１１】
また、この発明に係る光ディスク装置は、内周から外周に向けて内径孔、リードイン領域及びデータ領域が順次形成され、内径孔の中心とデータ領域の中心とがほぼ一致し、内径孔の中心に対してリードイン領域の中心が所定量ずれている光ディスクに対して、情報の記録または再生を行なう手段を備えるようにしたものである。
【発明の効果】
【００１２】
上記した発明によれば、光ディスクにおいて、内径孔の中心とデータ領域の中心とがほぼ一致し、内径孔の中心に対してリードイン領域の中心が所定量ずれているようにしたので、データ領域の偏心を少なくして記録再生速度の高速化を効果的に促進することが可能となる。
【発明を実施するための最良の形態】
【００１３】
以下、この発明の実施の形態について図面を参照して詳細に説明する。図１は、この実施の形態で説明する光ディスク１１を示している。この光ディスク１１には、その最内周に内径孔１２が形成され、その内径孔１２の周囲にリードイン領域１３が形成され、そのリードイン領域１３の外側にデータ領域１４が形成されている。
【００１４】
そして、この光ディスク１１は、後述する成形手段で成形されることにより、その内径孔１２の中心点（光ディスク１１の回転中心）Ｏ１がデータ領域１４の中心点とほぼ一致している。この場合、理想的には、データ領域１４の中心点が、内径孔１２の中心点Ｏ１と完全に一致していることが望ましいものである。
【００１５】
しかしながら、実際上の光ディスク１１の成形時の精度を考慮すると、内径孔１２の中心点Ｏ１とデータ領域１４の中心点とを完全に一致させることは不可能であり、現実にはほぼ一致する程度に留まることになる。換言すれば、この光ディスク１１は、その回転中心に対するデータ領域１４の偏心が、内径孔１２の中心点Ｏ１とデータ領域１４の中心点との僅かなずれ分だけに低減されていることになる。
【００１６】
また、上記光ディスク１１は、後述する成形手段で成形されることにより、そのリードイン領域１３の中心点Ｏ２が、上記内径孔１２の中心点Ｏ１よりも所定量だけずれて形成される。この場合、内径孔１２の中心点Ｏ１とデータ領域１４の中心点とのずれ量は、内径孔１２の中心点Ｏ１とリードイン領域１３の中心点Ｏ２とのずれ量に比べると、極めて少ないものとなっている。
【００１７】
図２（ａ），（ｂ）は、上記光ディスク１１の成形手段を示している。まず、図２（ａ）において、符号１５は固定側金型である。この固定側金型１５には、その一方の側面に、光ディスク１１を射出形成する際の一方の型となる円盤状のスタンパ１６を収容するための凹部１７が形成されている。
【００１８】
そして、この固定側金型１５には、その凹部１７の中央部に、上記スタンパ１６の内径孔１８が嵌合される円筒形状のスタンパ取付金具１９が設置されている。また、この固定側金型１５には、その凹部１７の中央部から他方の側面まで連通する流入孔２０が形成されている。
【００１９】
この流入孔２０は、光ディスク１１の材料となる溶融樹脂を流入させるもので、凹部１７の中央部側がスタンパ取付金具１９の内径とほぼ等しく、固定側金型１５の他方の側面に向けて順次径が広がる漏斗形状をしている。これにより、固定側金型１５の他方の側面から流入された溶融樹脂が、スタンパ取付金具１９の内部を通過するようになる。
【００２０】
一方、図２（ａ）において、符号２１は移動側金型である。この移動側金型２１には、その一方の側面に、光ディスク１１を射出形成する際の他方の型となる凹部２２が形成されている。そして、この移動側金型２１には、その凹部２２の中央部に、成形された光ディスク１１に対して内径孔１２を形成するためのカットパンチ２３が、図中矢印方向に移動自在に支持されている。
【００２１】
ここで、上記スタンパ１６を、その内径孔１８をスタンパ取付金具１９に嵌合させることにより、固定側金型１５の凹部１７内に収容させる。そして、移動側金型２１を移動させて、固定側金型１５に合体させる。その後、固定側金型１５の流入孔２０から溶融樹脂を流入させる。
【００２２】
すると、溶融樹脂は、図２（ｂ）に微細点群で示すように、スタンパ１６と移動側金型２１の凹部２２とで形成される空間内に流入されて固化された後、カットパンチ２３で内径孔１２が形成されて、ここに、光ディスク１１が成形される。この場合、光ディスク１１には、スタンパ１６に面した側にトラック（情報パターンや情報記録用の溝）が形成されることになる。
【００２３】
上記のような光ディスク１１の成形手段において、光ディスク１１の偏心は、金型の偏心（スタンパ１６の取り付け側となる固定側金型１５に対するカットパンチ２３を有する移動側金型２１の偏心）が支配的となる。通常、金型は、低温（または常温）でそのクリアランスが０になるように設計され、成形温度に昇温した時に熱収縮により隙間ができるように設計されている。つまり、隙間が無いと、当然、ガス抜けや金型の開閉すらも困難となり成形が不可能になるからであるが、逆にこの隙間によるがたつきが偏心の原因となっている。
【００２４】
ここで、光ディスク１１の偏心とは、光ディスク１１の内径孔１２の中心（回転中心）と、データ領域（情報パターンまたは情報記録用の溝）１４の中心とのずれである。このため、固定側金型１５と移動側金型２１との間に隙間（がたつき）があると、移動側金型２１のカットパンチ２３の位置と、固定側金型１５に取り付けられたスタンパ１６によって形成されるデータ領域１４の位置とが相対的にずれてしまい、結果として光ディスク１１に偏心が発生することになる。
【００２５】
そこで、この実施の形態では、ＤＶＤ等の光ディスク１１にはほぼ必ず存在し、かつ、データ領域１４ほど偏心に対する精度を要求されないリードイン領域１３を、スタンパ１６の内径孔１８を形成するときのガイドとするようにしている。これにより、安定かつ簡便な手法で、最終的に成形される光ディスク１１（図１参照）のデータ領域１４の偏心量を低減することができる。
【００２６】
図３は、上記のようにリードイン領域１３をガイドとして内径孔１８の形成されたスタンパ１６を示している。このスタンパ１６には、その最内周に内径孔１８が形成され、その内径孔１８の周囲にリードイン領域２４が形成され、そのリードイン領域２４の外側にデータ領域２５が形成されている。
【００２７】
そして、このスタンパ１６は、後述する作製手段で作製されることにより、その内径孔１８の中心点Ｏ３がリードイン領域２４の中心点と一致している。また、上記スタンパ１６は、後述する作製手段で作製されることにより、そのデータ領域２５の中心点Ｏ４が、上記内径孔１８の中心点Ｏ３よりも所定量だけずれて形成されている。
【００２８】
このように、スタンパ１６のリードイン領域２４とデータ領域２５とを、予め任意の方向に任意の量（つまり、金型その他の偏心成分を打ち消す方向と量であって、これらは予め分かっている）だけ偏心させておき、スタンパ１６の内径孔１８を形成する際には、リードイン領域２４をガイドとしてリードイン領域２４の中心がスタンパ１６の中心となるように加工する。
【００２９】
すると、データ領域２５は、必然的に、その中心が内径孔１８の中心に対して偏心されて形成されることになる。このため、このスタンパ１６を用いて成形された光ディスク１１は、スタンパ１６のデータ領域２５の偏心と金型その他の偏心成分とが打ち消し合うため、図１に示したように、データ領域１４の偏心が０に近い良好な値となる。このようにリードイン領域２４に対してデータ領域２５を必要な方向と量だけ偏心させる加工は、通常のスタンパ作製装置を用いて、例えばＣＣＤ（charge coupled device）等で観察しながら全自動で行なうことができる。
【００３０】
以上に述べた光ディスク１１のデータ領域１４の偏心を低減させることについて、より詳しく順を追って説明する。すなわち、光ディスク１１のリードイン領域１３は、データ領域１４よりも記録密度が低く、例えば次世代のＤＶＤではトラックピッチが０．６８μｍである。また、記録線密度もデータ領域１４の半分である。このため、リードイン領域１３は、少々偏心が大きくても、トラッキングサーボをかけてその情報を再生することが何ら問題なく可能である。
【００３１】
そこで、この実施の形態では、金型その他の偏心成分（ぶれ量）がｄ×２（μｍ）である場合、予めスタンパ１６のリードイン領域２４とデータ領域２５とで偏心量をｄ×２だけ付けておき、つまり、それぞれの中心点Ｏ３，Ｏ４をｄだけずらしておき、スタンパ１６の内径孔１８の形成時には、リードイン領域２４を目印としてリードイン領域２４の中心に内径孔１８を開ける。
【００３２】
図２で説明した成形手段によって成形された光ディスク１１は、先にも述べたように、固定側金型１５のスタンパ取付金具１９に取り付けられたスタンパ１６によって形成されるデータ領域１４の中心と、移動側金型２１のカットパンチ２３によって形成される内径孔１２の中心とがｄだけずれることになる。
【００３３】
つまり、カットパンチ２３とスタンパ１６のデータ領域２５とは、共にリードイン領域２４（つまりスタンパ１６の内径孔１８）の中心に対してｄだけずれているので、スタンパ１６の取り付け方向だけ合わせれば互いにそのずれ成分ｄ（偏心成分ｄ×２）を打ち消すことができる。その結果、最終的に成形される光ディスク１１のデータ領域１４の偏心を０に近づけることができるようになる。
【００３４】
図４（ａ）〜（ｇ）は、上記スタンパ１６の作製手段を示している。まず、図４（ａ）に示すように、原盤２６を用意する。この原盤２６としては、表面を研磨洗浄したガラスやＳｉウエハ等が用いられる。そして、図４（ｂ）に示すように、原盤２６の表面にフォトレジスト２７を塗布（熱記録等の場合は無機記録膜材料をスパッタ）する。
【００３５】
その後、図４（ｃ）に示すように、原盤２６を露光装置のスピンドルテーブル２８に偏心なく設置（チャッキング）し、スピンドルテーブル２８を回転させた上で、フォトレジスト２７の塗布された表面を記録信号で変調したレーザ光で露光することにより情報を記録する。この場合、通常はリードイン領域２４とデータ領域２５とを続けて（あるいはコネクションゾーンと呼ばれる短い無記録領域を間に挟む程度で）スパイラル状に一気に記録する。
【００３６】
しかしながら、この実施の形態では、リードイン領域２４を記録した後、図４（ｄ）に示すように、スピンドルテーブル２８の回転を停止させ、原盤２６をスピンドルテーブル２８から外してｄ（μｍ）だけずらして再チャッキングし、再びスピンドルテーブル２８を回転させた上で、レーザ光によりデータ領域２５を記録する。
【００３７】
このようにすれば、リードイン領域２４の中心とデータ領域２５の中心とをｄだけずらすことができる。また、リードイン領域２４とデータ領域２５との間には、コネクションゾーンを設けることが光ディスクの規格により許されているため、ｄの値が数十μｍ程度であれば、各領域２４，２５が重なり合うることもない。
【００３８】
このようにして露光した原盤２６に対して、図４（ｅ）に示すように、現像処理を行ないパターン（ピットや記録用溝）の凹凸を形成する。そして、この原盤２６を、図４（ｆ）に示すように、メッキ処理（一般にはＮｉメッキ）することでパターンの転写された金属盤２９を作製する。その後、この金属盤２９を、図４（ｇ）に示すように、加工（裏面の研磨と内外径加工）することで射出成形時の型となるスタンパ１６が作製される。
【００３９】
この内外径加工の際、通常は、スタンパ１６を回しながら記録パターンのエッジを顕微鏡などで観察し、パターンの中心点を探して内径孔１８及び外径を打ち抜く。例えばスタンパ１６を回してパターンのエッジがぶれなければ、そのときの回転軸がパターンの中心軸といえるので、中心点の特定は容易である。
【００４０】
射出成形機の金型にスタンパ１６を取り付ける際は、内径孔１８をスタンパ取付金具１９で固定するため、パターンとスタンパ１６の内径孔１８との中心点のずれが、最終的に成形される光ディスク１１の偏心に大きく影響する。
【００４１】
そこで、元々ある偏心成分（例えば金型やディスク貼り合わせ等）を打ち消すように、逆に意図的にスタンパ１６のパターンに偏心を持たせるわけであるが、この実施の形態においては、リードイン領域２４の中心点を内径加工すれば、自ずとデータ領域２５のパターンの中心と内径孔１８の中心とのずれがｄ（μｍ）となる。このため、通常のスタンパ作製装置でスタンパ１６の内径加工が可能である。
【００４２】
なお、上記した光ディスク１１の成形手段やスタンパ１６の作製手段は、一例を示しただけであり、内径孔１２の中心点Ｏ１がデータ領域１４の中心点とほぼ一致し、リードイン領域１３の中心点Ｏ２が、上記内径孔１２の中心点Ｏ１よりも所定量だけずれているという特徴を持った光ディスク１１が成形されるならば、上記した手段に限定されるものでないことはもちろんである。
【００４３】
例えば次世代のＤＶＤにおいて、リードイン領域１３は、トラックピッチと線密度とが共に緩いために多少の偏心成分は許容される。一方、データ領域１４は、トラックピッチが０．４μｍとビームスポットに対して狭く、特に、光ディスク１１の高速回転時にはトラッキングサーボの追従が困難となる。
【００４４】
図５は、上記した実施の形態による成形手段によって成形された光ディスク１１の、１回転あたりに得られるトラッキングエラー信号（トラッククロス信号、プッシュプル差信号）を示している。この光ディスク１１は、その内径孔１２の中心とデータ領域１４の中心とのずれ量（偏心）が僅か９μｍに低減され、１回転あたりに得られるトラッキングエラー信号の本数が少ないことがわかる。
【００４５】
前述したように、トラッキングサーボは、このトラッキングエラー信号が０になるようにサーボで光ヘッドを動かしてトラックに追従させるため、１回転あたりに得られるトラッキングエラー信号の本数が少ない方が、光ディスク１１の記録再生速度を高速化することが可能となる。
【００４６】
これに対し、図６は、一般的な次世代ＤＶＤ−Ｒディスクの１回転あたりに得られるトラッキングエラー信号を示している。この一般的な光ディスクは、その内径孔の中心とデータ領域の中心とのずれ量（偏心）が３７μｍもあり、１回転あたりに得られるトラッキングエラー信号の本数が多くなるため、記録再生速度を高速化するには望ましくないものである。
【００４７】
なお、ここで、光ディスク１１の偏心量は、光ディスク１１を１回転させたときに記録パターンの同一トラックが描く軌跡の、光ディスク１１の回転中心からの距離の最小値と最大値との差を示している。つまり、光ディスク１１の回転中心（＝内径孔１２の中心）と、データ領域１４（記録パターン）の中心とのずれ量（偏心）をｄとすれば、上記定義により光ディスク１１の偏心量はｄ×２となる。
【００４８】
一般に、光ディスク１１の成形用の金型が持つずれ成分は、最低で５μｍ、多くは１０〜３０μｍである。このため、金型のずれ成分に起因して光ディスク１１に生じる偏心量は、その倍の１０μｍ以上、多くは２０〜６０μｍとなる。これを打ち消すためには、スタンパ１６のリードイン領域２４の中心とデータ領域２５の中心とのずれ量ｄを、最低で５μｍ、多くは１０〜３０μｍにすればよいことになる。
【００４９】
図７は、上記した実施の形態による成形手段によって成形された光ディスク１１の断面構造を示している。上記成形手段によって最終的に完成する光ディスク１１は、その内径孔１２の中心点（光ディスク１１の回転中心）Ｏ１がデータ領域１４の中心点とほぼ一致（つまり、データ領域１４の偏心が０に近く良好）しており、かつ、リードイン領域１３の中心点Ｏ２が、上記内径孔１２の中心点Ｏ１よりも所定量だけずれて形成されている。さらに、この光ディスク１１は、内径孔１２とリードイン領域１３との間に、スタンパ取付金具１９の跡である円形の溝３０が形成されており、リードイン領域１３の中心点Ｏ２が溝３０の中心と一致しているという特徴を有している。
【００５０】
なお、一般的に言えば、光ディスク１１は、その内径孔１２が直径１５ｍｍ、スタンパ取付金具１９の跡の溝３０が直径２２ｍｍ、リードイン領域１３が半径２３．３〜２３．８ｍｍ、データ領域１４が半径２３．８〜５８．０ｍｍであり、リードイン領域１３とデータ領域１４との間にはコネクションゾーンと称される未記録領域３１が存在する。
【００５１】
上記したスタンパ１６を、光ディスク１１の成形用の金型に、そのがたつきによる偏心量を打ち消し合う方向に取り付け、光ディスク１１の射出成形（一般的には材料としてポリカーボネートを用いる）を行なうことにより、最終的に成形される光ディスク１１は、そのデータ領域１４の偏心量が極めて小さいものとなる。
【００５２】
先にも述べたように、データ領域１４の偏心量は理想的には０であるが、金型その他プロセスの偏心量やその方向を正確に見積もって打ち消すことは非常に困難なことである。しかしながら、上記した実施の形態で述べた手法を用いることにより、２０μｍ以下程度の偏心量（つまり中心のずれ量としては１０μｍ以下）を達成することは容易に可能である。また、その程度の偏心量まで低減できれば、光ディスク１１の高速回転時にもトラッキングサーボが可能となる。このため、狭トラックピッチで高速再生や高速記録等のトラッキングサーボが困難なほどの高密度化が要求される状況下にあっても、記録再生速度の高速化を効果的に促進し得る光ディスク１１を製造することができる。
【００５３】
また、上記した実施の形態で述べた成形手段で成形された光ディスク１１は、全て、その内径孔１２の中心に対する、溝３０、リードイン領域１３及びデータ領域１４の各中心のずれ量（偏心）が同じになっている。このため、図８に示すように、複数（図８では２枚）の光ディスク１１ａ，１１ｂを中間層３２により貼り合わせて多層構造とする場合でも、各光ディスク１１ａ，１１ｂの溝３０ａ，３０ｂ、リードイン領域１３ａ，１３ｂ及びデータ領域１４ａ，１４ｂの位置を対向させることができるので、このような点でも記録再生速度の高速化に有利となる。
【００５４】
ここで、図４に示した原盤２６への記録方法の他の例を説明する。すなわち、原盤２６への記録に無機レジスト（例えばPhase Transition Mastering技術）や有機色素等を用いる場合には、原盤２６への記録直後にその記録パターンを再生することが可能である。これを利用して、リードイン領域２４を記録→記録したリードイン領域２４の信号を再生することによりその偏心量を測定し、目標の偏心をつけて原盤２６をスピンドルテーブル２８に再チャッキング→データ領域２５を記録、といった原盤２６への記録方法も可能である。
【００５５】
また、電子ビーム等のように記録ビームを偏向可能な原盤記録装置が使用される場合においては、リードイン領域２４の形成時とデータ領域２５の形成時とでその偏向量を変えることによっても実現可能である。例えばリードイン領域２４のみスピンドルテーブル２８の回転に同期して±ｄ（μｍ）だけビームを偏向させて記録すれば、リードイン領域２４とデータ領域２５との間で偏心量を変えることができる。
【００５６】
図９は、上記光ディスク１１に対して情報の記録再生を行なう光ディスク装置の一例を示している。この光ディスク装置は、記録媒体として光ディスク１１とハードディスクとの双方を取り扱うことができる。なお、ハードディスクは、例えば半導体メモリによる記録媒体等に置換されてもよい。
【００５７】
図９の各ブロックを大きく分けると、左側には記録部の主なブロックを示し、右側には再生部の主なブロックを示している。
【００５８】
図９の光ディスク装置は、２種類のディスクドライブ部を有する。まず、ビデオファイルを構築できる情報記録媒体である第１のメディアとしての光ディスク１１を回転駆動し、情報の読み書きを実行するディスクドライブ部３３を有する。また、第２のメディアとしてのハードディスク３４ａを駆動するＨＤＤ（hard disk drive）部３４を有する。
【００５９】
データプロセッサ部３５は、ディスクドライブ部３３及びＨＤＤ部３４に記録データを供給することができ、また、ディスクドライブ部３３及びＨＤＤ部３４から再生された信号を受け取ることができる。
【００６０】
ディスクドライブ部３３は、光ディスク１１に対する回転制御系、レーザ駆動系、光学系等を有する。データプロセッサ部３５は、記録または再生単位のデータを取り扱うもので、バッファ回路、変調・復調回路、エラー訂正部等を含む。
【００６１】
また、図９の光ディスク装置は、記録側を構成するエンコーダ部３６と、再生側を構成するデコーダ部３７と、装置本体の動作を制御するマイクロコンピュータブロック３８とを主たる構成要素としている。
【００６２】
エンコーダ部３６は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。エンコーダ部３６の出力は、バッファメモリ３９を含むフォーマッタ４０にて所定のフォーマットに変換され、上記したデータプロセッサ部３５に供給される。
【００６３】
エンコーダ部３６には、Ａ／Ｖ（audio／video）入力部４１からの外部アナログビデオ信号と外部アナログオーディオ信号、あるいはＴＶ（television）チューナ部４２からのアナログビデオ信号とアナログオーディオ信号が入力される。
【００６４】
なお、エンコーダ部３６は、圧縮されたデジタルビデオ信号やデジタルオーディオ信号が直接入力されるときは、圧縮デジタルビデオ信号やデジタルオーディオ信号を直接フォーマッタ４０に供給することもできる。
【００６５】
また、エンコーダ部３６は、アナログデジタル変換されたデジタルビデオ信号やオーディオ信号を、Ｖ（video）ミクシング部４３やオーディオ用のセレクタ４４に直接供給することもできる。
【００６６】
エンコーダ部３６に含まれるビデオエンコーダでは、デジタルビデオ信号はＭＰＥＧ（moving picture experts group）２またはＭＰＥＧ１規格に基づいた可変ビットレートで圧縮されたデジタルビデオ信号に変換される。
【００６７】
デジタルオーディオ信号は、ＭＰＥＧまたはＡＣ（audio compression）−３規格に基づいて固定ビットレートで圧縮されたデジタルオーディオ信号、あるいはリニアＰＣＭ（pulse code modulation）のデジタルオーディオ信号に変換される。
【００６８】
副映像信号がＡ／Ｖ入力部４１から入力された場合（例えば副映像信号の独立出力端子付ＤＶＤビデオプレーヤからの信号等）、あるいはこのようなデータ構成のＤＶＤビデオ信号が放送されて、それがＴＶチューナ部４２で受信された場合は、ＤＶＤビデオ信号中の副映像信号が副映像エンコーダでエンコード（ランレングス符号化）されて副映像のビットマップとなる。
【００６９】
エンコードされたデジタルビデオ信号、デジタルオーディオ信号、副映像データは、フォーマッタ４０にてパック化され、ビデオパック、オーディオパック、副映像パックとなり、さらにこれらが集合されてＤＶＤ−レコーディング規格［例えばＤＶＤ−ＲＡＭ（random access memory）、ＤＶＤ−Ｒ（recordable）、ＤＶＤ−ＲＷ（rewritable）等に記録する規格］で規定されたフォーマットに変換される。
【００７０】
ここで、図９の光ディスク装置は、フォーマッタ４０でフォーマット化された情報（ビデオ、オーディオ、副映像データ等のパック）及び作成された管理情報を、データプロセッサ部３５を介してＨＤＤ部３４あるいはディスクドライブ部３３に供給し、ハードディスク３４ａあるいは光ディスク１１に記録することができる。
【００７１】
また、ハードディスク３４ａあるいは光ディスク１１に記録された情報を、データプロセッサ部３５、ディスクドライブ部３３を介して光ディスク１１あるいはハードディスク３４ａに記録することもできる。
【００７２】
また、ハードディスク３４ａあるいは光ディスク１１に記録されている複数番組のビデオオブジェクトを、一部削除したり、異なる番組のオブジェクトをつなげたり、といった編集処理を行なうこともできる。
【００７３】
マイクロコンピュータブロック３８は、ＭＰＵ（micro processing unit）またはＣＰＵ（central processing unit）と、制御プログラム等が書きこまれたＲＯＭ（read only memory）と、プログラム実行に必要なワークエリアを提供するためのＲＡＭとを含んでいる。
【００７４】
マイクロコンピュータブロック３８のＭＰＵは、そのＲＯＭに格納された制御プログラムにしたがい、ＲＡＭをワークエリアとして用いて、欠陥場所検出、未記録領域検出、録画情報記録位置設定、ＵＤＦ（universal disk format）記録、ＡＶアドレス設定等を実行する。
【００７５】
また、マイクロコンピュータブロック３８は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００７６】
マイクロコンピュータブロック３８の実行結果のうち、ユーザに通知すべき内容は、光ディスク装置に内蔵の表示部４５に表示されるか、または、外部接続されたモニタディスプレイ４６にＯＳＤ（on screen display）表示される。また、マイクロコンピュータブロック３８は、この光ディスク装置を操作するための操作信号を与えるキー入力部４７を有する。
【００７７】
なお、マイクロコンピュータブロック３８が、ディスクドライブ部３３、ＨＤＤ部３４、データプロセッサ部３５、エンコーダ部３６及び／またはデコーダ部３７等を制御するタイミングは、ＳＴＣ（system time clock）４８からの時間データに基づいて実行することができる。
【００７８】
記録や再生の動作は、通常は、ＳＴＣ４８からのタイムクロックに同期して実行されるが、それ以外の処理はＳＴＣ４８とは独立したタイミングで実行されてもよい。
【００７９】
デコーダ部３７は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。
【００８０】
また、デコードされた主映像に、デコードされた副映像を適宜合成し、主映像にメニュー、ハイライトボタン、字幕やその他の副映像を重ねて出力するビデオプロセッサを備えている。
【００８１】
デコーダ部３７の出力ビデオ信号は、Ｖミクシング部４３に入力される。Ｖミクシング部４３では、テキストデータの合成が行なわれる。また、Ｖミクシング部４３には、ＴＶチューナ部４２やＡ／Ｖ入力部４１からの信号を直接取り込むラインも接続されている。
【００８２】
Ｖミクシング部４３には、バッファとして用いるフレームメモリ部４９が接続されている。Ｖミクシング部４３の出力がアナログ出力の場合は、Ｉ／Ｆ（interface）５０を介して外部出力され、デジタル出力の場合はデジタルアナログ変換器５１を介してモニタディスプレイ４６に出力される。
【００８３】
デコーダ部３７の出力オーディオ信号は、セレクタ４４を介してデジタルアナログ変換器５２でアナログ変換され、外部接続されたスピーカ５３に出力される。このセレクタ４４は、マイクロコンピュータブロック３８からのセレクト信号により制御される。
【００８４】
これにより、セレクタ４４は、ＴＶチューナ部４２やＡ／Ｖ入力部４１からのデジタル信号を直接モニタするとき、エンコーダ部３６をスルーした信号を直接選択することも可能である。
【００８５】
なお、エンコーダ部３６のフォーマッタ４０では、記録中、各切り分け情報を作成し、定期的にマイクロコンピュータブロック３８のＭＰＵへ送っている［ＧＯＰ（group of picture）先頭割り込み時等の情報］。この切り分け情報としては、ＶＯＢＵ（video object unit）のパック数、ＶＯＢＵ先頭からのＩピクチャのエンドアドレス、ＶＯＢＵの再生時間等である。
【００８６】
同時に、アスペクト比情報処理部からの情報を記録開始時にマイクロコンピュータブロック３８へ送り、ＭＰＵはＶＯＢストリーム情報（ＳＴＩ）を作成する。ここで、ＳＴＩは、解像度データ、アスペクトデータ等を保存し、再生時、各デコーダ部ではこの情報を元に初期設定が行なわれる。
【００８７】
また、この光ディスク装置においては、ビデオファイルは１ディスクに１ファイルとしている。また、データをアクセス（シーク）している間に、途切れないで再生を続けるために、最低限連続する情報単位（サイズ）を決めている。この単位をＣＤＡ（contiguous data area）という。ＣＤＡサイズは、ＥＣＣ（エラー訂正コード）ブロック（１６セクタ）の倍数であり、ファイルシステムではこのＣＤＡ単位で記録を行なっている。
【００８８】
データプロセッサ部３５は、エンコーダ部３６のフォーマッタ４０からＶＯＢＵ単位のデータを受け取り、ＣＤＡ単位のデータをディスクドライブ部３３あるいはＨＤＤ部３４に供給している。
【００８９】
また、マイクロコンピュータブロック３８のＭＰＵは、記録したデータを再生するのに必要な管理情報を作成し、データ記録終了のコマンドを認識すると、作成した管理情報をデータプロセッサ部３５に送る。
【００９０】
これにより、管理情報が光ディスク１１に記録される。したがって、エンコードが行なわれているとき、エンコーダ部３６からマイクロコンピュータブロック３８のＭＰＵは、データ単位の情報（切り分け情報等）を受け取る。
【００９１】
また、マイクロコンピュータブロック３８のＭＰＵは、記録開始時には光ディスク１１及びハードディスク３４ａから読み取った管理情報（ファイルシステム）を認識し、各ディスクの未記録エリアを認識し、データ上の記録エリアをデータプロセッサ部３５を介してディスクに設定している。
【００９２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００９３】
【図１】この発明の実施の形態を示すもので、データ領域の中心とリードイン領域の中心とがずれた光ディスクを説明するために示す平面図。
【図２】同実施の形態における光ディスクを成形する成形手段を説明するために示す側断面図。
【図３】同実施の形態における光ディスクを成形する型となるスタンパを説明するために示す平面図。
【図４】同実施の形態におけるスタンパを作製する作製手段を説明するために示す側断面図。
【図５】同実施の形態における光ディスクの１回転あたりに得られるトラッキングエラー信号を説明するために示す図。
【図６】一般的な光ディスクの１回転あたりに得られるトラッキングエラー信号を説明するために示す図。
【図７】同実施の形態における成形手段によって成形された光ディスクの断面構造を説明するために示す図。
【図８】同実施の形態における成形手段によって成形された複数の光ディスクを多層化した一例を説明するために示す図。
【図９】同実施の形態における光ディスクに対して記録再生を行なう光ディスク装置の一例を説明するために示すブロック構成図。
【符号の説明】
【００９４】
１１，１１ａ，１１ｂ…光ディスク、１２，１２ａ，１２ｂ…内径孔、１３，１３ａ，１３ｂ…リードイン領域、１４，１４ａ，１４ｂ…データ領域、１５…固定側金型、１６…スタンパ、１７…凹部、１８…内径孔、１９…スタンパ取付金具、２０…流入孔、２１…移動側金型、２２…凹部、２３…カットパンチ、２４…リードイン領域、２５…データ領域、２６…原盤、２７…フォトレジスト、２８…スピンドルテーブル、２９…金属盤、３０，３０ａ，３０ｂ…溝、３１…未記録領域、３２…中間層、３３…ディスクドライブ部、３４…ＨＤＤ部、３４ａ…ハードディスク、３５…データプロセッサ部、３６…エンコーダ部、３７…デコーダ部、３８…マイクロコンピュータブロック、３９…バッファメモリ、４０…フォーマッタ、４１…Ａ／Ｖ入力部、４２…ＴＶチューナ部、４３…Ｖミクシング部、４４…セレクタ、４５…表示部、４６…モニタディスプレイ、４７…キー入力部、４８…ＳＴＣ、４９…フレームメモリ部、５０…Ｉ／Ｆ、５１，５２…デジタルアナログ変換器、５３…スピーカ。
【図１】
2009266323.tif 000003
【図２】
2009266323.tif 000004
【図３】
2009266323.tif 000005
【図４】
2009266323.tif 000006
【図５】
2009266323.tif 000007
【図６】
2009266323.tif 000008
【図７】
2009266323.tif 000009
【図８】
2009266323.tif 000010
【図９】
2009266323.tif 000011